(57)【特許請求の範囲】
【請求項１】
光ディスクに予め形成されたプリピット情報を検出しつつ記録あるいは再生を行う光ディスク装置であって、
情報記録トラックにメインレーザ光を照射するとともに、前記情報記録トラックに関するプリピットが形成されたトラックにサブレーザ光を照射する照射手段と、
前記サブレーザ光の戻り光信号に基づき前記プリピット情報を検出する検出手段と、
を有し、前記検出手段は、
前記光ディスクの半径方向及び円周方向にそれぞれ２分割され、前記サブレーザ光からの戻り光を電気信号に変換する４分割フォトディテクタと、
前記４分割フォトディテクタの円周方向に分割された２つのフォトディテクタからの信号の和あるいは差を演算する加減算器と、
前記加減算器からの信号をスライス処理することでプリピット情報を抽出する抽出手段と、
を有し、前記加減算器は、データ再生時には和あるいは差のいずれかを選択的に演算し、データ記録時には差を演算して前記抽出手段に出力することを特徴とする光ディスク装置。
【請求項２】
請求項１記載の装置において、
前記加減算器は、データ再生時には和を演算し、データ記録時には差を演算して前記抽出手段に出力することを特徴とする光ディスク装置。
【請求項３】
光ディスクに予め形成されたプリピット情報を検出しつつ記録あるいは再生を行う光ディスク装置であって、
情報記録トラックにメインレーザ光を照射するとともに、前記情報記録トラックに関するプリピットが形成されたトラックにサブレーザ光を照射する照射手段と、
前記サブレーザ光の戻り光信号に基づき前記プリピット情報を検出する検出手段と、
を有し、前記検出手段は、
前記光ディスクの半径方向及び円周方向にそれぞれ２分割され、前記サブレーザ光からの戻り光を電気信号に変換する４分割フォトディテクタと、
前記４分割フォトディテクタの円周方向に分割された２つのフォトディテクタからの信号の和あるいは差を演算する加減算器と、
前記加減算器からの信号をスライス処理することでプリピット情報を抽出する抽出手段と、
を有し、前記抽出手段は、
前記４分割フォトディテクタの半径方向に分割された２つのフォトディテクタのうち前記情報記録トラック側のフォトディテクタからの信号に基づき、前記情報記録トラックのウォブル信号を検出する手段と、
前記ウォブル信号に基づき前記加減算器からの信号に処理ウインドウを設定する手段と、
を有し、前記ウォブル信号に同期したプリピット情報を抽出することを特徴とする光ディスク装置。
【請求項４】
光ディスクに予め形成されたプリピット情報を検出しつつ記録あるいは再生を行う光ディスク装置であって、
情報記録トラックにメインレーザ光を照射するとともに、前記情報記録トラックに関するプリピットが形成されたトラックにサブレーザ光を照射する照射手段と、
前記サブレーザ光の戻り光信号に基づき前記プリピット情報を検出する検出手段と、
を有し、前記検出手段は、
前記光ディスクの半径方向及び円周方向にそれぞれ２分割され、前記サブレーザ光からの戻り光を電気信号に変換する４分割フォトディテクタと、
前記４分割フォトディテクタの円周方向に分割された２つのフォトディテクタからの信号のレベルを調整するゲイン調整器と、
ゲイン調整された２つの信号の差を演算する減算器と、
前記減算器からの信号をスライス処理することでプリピット情報を抽出する抽出手段と、
を有し、前記抽出手段は、
前記４分割フォトディテクタの半径方向に分割された２つのフォトディテクタのうち前記情報記録トラック側のフォトディテクタからの信号を再生パワーのタイミングでサンプリングすることにより前記情報記録トラックのウォブル信号を検出する手段と、
前記ウォブル信号に基づき前記減算器からの信号に処理ウインドウを設定する手段と、  を有し、前記ウォブル信号に同期したプリピット情報を抽出することを特徴とする光ディスク装置。
【請求項５】
請求項１〜４のいずれかに記載の装置において、さらに、
前記メインレーザ光とサブレーザ光との相対的位置関係に基づき、検出された前記プリピット情報を遅延処理する手段と、
を有することを特徴とする光ディスク装置。
【発明の詳細な説明】
【０００１】
【発明の属する技術分野】
本発明は光ディスク装置、特に、ＤＶＤ−Ｒ／ＲＷ等のプリピット情報が形成された光ディスクに対して記録再生を行う光ディスク装置に関する。
【０００２】
【従来の技術】
従来より、ＤＶＤ−Ｒ／ＲＷ等においては、情報記録トラックであるグルーブに隣接するランドにプリピットが形成されており、記録再生時にはこのプリピットを検出しデコードすることで光ディスクの面内位置（アドレス）を確定しデータの記録、再生を行っている。
【０００３】
一般に、プリピット情報は、光ディスクに照射されるレーザ光の戻り光を光ディスクの半径方向および円周方向にそれぞれ２分割された４分割フォトディテクタで電気信号に変換し、半径方向に分割された２つのフォトディテクタからの信号の差分を演算することにより得ている。
【０００４】
特開２０００−３１１３４４号公報には、マーク期間（記録パワーを照射して光ディスクにピットを形成する期間）においてプリピットを検出する回路とスペース期間（マークとマークの間の期間）においてプリピットを検出する回路とを並列的に設け、マーク期間とスペース期間それぞれにおいてプリピットを検出し、両者の論理和を出力するプリピット検出装置が記載されている。
【０００５】
【発明が解決しようとする課題】
しかしながら、半径方向に分割された２つのフォトディテクタの差（プッシュプル信号）に基づきプリピット信号を検出する構成では、グルーブに形成されるピット（マーク）の反射率変化がノイズとして混入し、プリピット信号のみを検出することは困難である。もちろん、これらのノイズを除去するための回路を付加することも考えられるが、回路構成が一層複雑化しコスト増加を招く問題がある。
【０００６】
本発明は、上記従来技術の有する課題に鑑みなされたものであり、その目的は、簡易な構成でプリピット情報を検出でき、これに基づきデータを記録または再生することができる光ディスク装置を提供することにある。
【０００７】
【課題を解決するための手段】
上記目的を達成するために、本発明は、光ディスクに予め形成されたプリピット情報を検出しつつ記録あるいは再生を行う光ディスク装置であって、情報記録トラックにメインレーザ光を照射するとともに、前記情報記録トラックに関するプリピットが形成されたトラックにサブレーザ光を照射する照射手段と、前記サブレーザ光の戻り光信号に基づき前記プリピット情報を検出する検出手段とを有し、前記検出手段は、前記光ディスクの半径方向及び円周方向にそれぞれ２分割され、前記サブレーザ光からの戻り光を電気信号に変換する４分割フォトディテクタと、前記４分割フォトディテクタの円周方向に分割された２つのフォトディテクタからの信号の和あるいは差を演算する加減算器と、前記加減算器からの信号をスライス処理することでプリピット情報を抽出する抽出手段とを有し、前記加減算器は、データ再生時には和あるいは差のいずれかを選択的に演算し、データ記録時には差を演算して前記抽出手段に出力することを特徴とする。
【０００９】
また、前記抽出手段は、前記４分割フォトディテクタの半径方向に分割された２つのフォトディテクタのうち前記情報記録トラック側のフォトディテクタからの信号に基づき、前記情報記録トラックのウォブル信号を検出する手段と、前記ウォブル信号に基づき前記加減算器からの信号に処理ウインドウを設定する手段とを有し、前記ウォブル信号に同期したプリピット情報を抽出することが好適である。
【００１１】
前記抽出手段は、前記４分割フォトディテクタの半径方向に分割された２つのフォトディテクタのうち前記情報記録トラック側のフォトディテクタからの信号を再生パワーのタイミングでサンプリングすることにより前記情報記録トラックのウォブル信号を検出する手段と、前記ウォブル信号に基づき前記減算器からの信号に処理ウインドウを設定する手段とを有し、前記ウォブル信号に同期したプリピット情報を抽出することが好適である。
【００１２】
本装置において、さらに、前記メインレーザ光とサブレーザ光との相対的位置関係に基づき、検出された前記プリピット情報を遅延処理する手段とを有することが好適である。
【００１３】
このように、本発明では、従来のように単一のレーザ光を照射し、このレーザ光の戻り光に含まれるプリピット信号を検出するのではなく、情報記録トラックにメインレーザ光（メインビーム）を照射するとともに、情報記録トラックに関するプリピットが形成されたトラック（例えばランド）にサブレーザ光（サブビーム）を照射する。そして、サブレーザ光の戻り光信号に基づきプリピット情報を検出する。サブレーザ光にはピットによる反射率変化が生じないので、回路構成を複雑化することなくプリピット情報のみを確実に検出することが可能となる。
【００１４】
なお、メインレーザ光でデータの記録再生を行うとともに、サブレーザ光でプリピット情報の検出を行う場合、メインレーザ光とサブレーザ光の相対的位置が異なるため、サブレーザ光で検出されたプリピット位置をメインレーザ光位置に合わせるように調整することが好ましい。サブレーザ光をメインレーザ光よりも先行させた場合、検出したプリピット情報を遅延させることで達成される。
【００１５】
【発明の実施の形態】
以下、図面に基づき本発明の実施形態について、ＤＶＤ−Ｒを例にとり説明する。
【００１６】
＜第１実施形態＞
図１には、本実施形態に係る光ディスク装置の構成ブロック図が示されている。光ディスク（ＤＶＤ−Ｒ）１０は、スピンドルモータ１２によりＣＡＶ（あるいはＣＬＶ）回転駆動される。光ディスク１０の情報記録トラックであるグルーブの間の領域（ランド）には所定の間隔でプリピット（ランドプリピット：ＬＰＰ）が形成されており、このプリピットを検出することで光ディスク１０の面内位置を特定する。
【００１７】
光ピックアップ１４は、光ディスク１０に対向配置され、記録パワーのレーザ光を光ディスク１０に照射してデータを記録するとともに、再生パワーのレーザ光を照射して記録データを再生する。記録時には、コントローラ２０からの記録データをエンコーダ１８にて変調し、さらにＬＤ駆動部１６にて駆動信号に変換して光ピックアップ１４のレーザダイオード（ＬＤ）を駆動する。また、再生時には、フォトディテクタで電気信号に変換された戻り光信号をＲＦ信号処理部２２に供給し、さらにデコーダ２４にて復調したのち、再生データとしてコントローラ２０に供給する。
【００１８】
従来においては、光ピックアップ１４から光ディスク１０に照射されるレーザ光としては、情報記録トラックであるグルーブに照射されるメインレーザ光（メインビーム）のみであるが、本実施形態においてはこのメインレーザ光に加え、さらに当該グルーブに関するプリピット情報が形成されたランドにサブレーザ光（サブビーム）を照射する。サブレーザ光は、メインレーザ光を分割して生成することができる。
【００１９】
また、光ピックアップ１４には、メインレーザ光からの戻り光を電気信号に変換するメイン用４分割フォトディテクタ並びにサブレーザ光からの戻り光を電気信号に変換するサブ用４分割フォトディテクタが設けられ、メイン用４分割フォトディテクタからの信号は上述したようにＲＦ信号処理部２２に供給され、サブ用４分割フォトディテクタからの電気信号は後述するプリピット検出部２６に供給される。
【００２０】
ＲＦ信号処理部２２は、アンプ、イコライザ、２値化部、ＰＬＬ部等を有し、ＲＦ信号をブーストした後に２値化し、ＰＬＬ部で同期クロックを生成してデコーダ２４に出力する。デコーダ２４は、再生２値化信号および同期クロックに基づき再生信号をデコードし、エラー訂正を行ってコントローラ２０に供給する。
【００２１】
プリピット検出部２６は、サブ用４分割フォトディテクタから供給された４つの信号に基づき、プリピット情報を検出してコントローラ２０に供給する。プリピット検出処理については後述する。
【００２２】
なお、この他にもフォーカスエラー信号やトラッキングエラー信号を生成し、光ピックアップ１４のフォーカスおよびトラッキングを制御するサーボ系があるが、これらについては従来技術と同一であるためその説明を省略する。
【００２３】
図２には、本実施形態における光ディスク１０の記録方式が模式的に示されている。既述したように、光ディスク１０にはグルーブに隣接するランドに所定の間隔でプリピット（ＬＰＰ）１００が形成されている。一方、グルーブに記録されるデータは予め情報単位であるＳＹＮＣフレームごとに分割され、２６個のＳＹＮＣフレームで１セクタが構成され、１６セクタで１ＥＣＣブロックが構成される。そして、各々のＳＹＮＣフレームの先頭にＳＹＮＣフレーム毎の同期を取るための同期情報（ＳＹＮＣ）２００が挿入される。同期情報ＳＹＮＣとしては、確実にＳＹＮＣフレーム同期がとれるようにデータ変調部分に出現する最長の１１Ｔよりも十分長い１４Ｔが用いられる。ＤＶＤ−Ｒの規格では、１４ＴのＳＹＮＣパルスとしてマークあるいはスペースのいずれかを選択することができる。また、図２においてグルーブは所定の周波数でウォブル（蛇行）しているが、このウォブル周波数を検出することで光ディスク１０の回転数を検出し、制御することができる。
【００２４】
図３には、ＳＹＮＣフレームと同期情報（ＳＹ）およびプリピットとの関係が模式的に示されている。ＳＹＮＣフレームは、偶数フレームと奇数フレームに大別され、プリピットは通常偶数フレームに対応させて形成される。但し、記録すべきフレームの両隣のランドの略同一位置にプリピットが配置された場合には、戻り光に２つのプリピット成分が混入してしまう。そこで、このような場合には奇数フレームにシフトして配置される。
【００２５】
また、ウォブル周波数はＳＹＮＣフレーム周波数の８倍となっており、プリピットは１つのＳＹＮＣフレーム中の最初の３つのウォブルの頂点に位置するように配置される。この３ビットのプリピットが１セクタ中に１３個（２６フレーム中の１３個の偶数フレーム）存在するので、１セクタ中に３×１３のプリピット情報が含まれる。ＳＹＮＣフレームの０、２、４、６、８には相対アドレスが形成され、ＳＹＮＣフレームの１０、１２、１４、１６、１８、２０、２２、２４にはユーザデータが形成される。３つの頂点のうちの最初のプリピットが同期位置を示すＳＹＮＣプリピットとなり、光ディスク装置はＳＹＮＣプリピットを検出することで同期位置を検出でき、データ記録時にはこの同期位置に１４Ｔの同期情報を割り当ててデータを記録する。
【００２６】
本実施形態においては、プリピットが１つのＳＹＮＣフレームの中の最初の３つのウォブルの頂点に位置すること、すなわちウォブル信号に同期して形成されていることを利用し、このタイミングで処理ウィンドウを設定してノイズを排除しプリピット情報を検出している。
【００２７】
図４には、光ピックアップ１４から光ディスク１０に照射されるレーザ光とグルーブ及びランドの位置関係が模式的に示されている。光ピックアップ１４からのメインレーザ光３００はグルーブに照射され、データの記録及び再生が行われる。一方、このメインレーザ光３００を分光して得られるサブレーザ光４００はこのグルーブのプリピット（ＬＰＰ）が形成された隣接ランドの略中央に照射される。すなわち、メインレーザ光３００とサブレーザ光４００はトラックの半周期分だけ離間して配置される。なお、図においてはグルーブの外周側に位置するランドにプリピット（ＬＰＰ）が形成されているため、外周側のランドにサブレーザ光４００を照射しているが、メインレーザ光３００を３分割し、グルーブに隣接する２つのランドに共にサブレーザ光を照射することも可能である。図において、このようなサブレーザ光５００が破線で示されている。但し、内周側に位置するランドに形成されるプリピット（ＬＰＰ）はさらにその内周側に位置するグルーブのプリピット（ＬＰＰ）であり、この情報を直接利用することはない。
【００２８】
図５には、光ピックアップ１４に設けられる２つの４分割フォトディテクタの構成が示されている。（ａ）はメイン用４分割フォトディテクタの構成であり、半径方向に２分割されるとともに、円周方向に２分割されて４分割フォトディテクタを構成する。それぞれのフォトディテクタをフォトディテクタＡ〜Ｄとする。半径方向に２分割された２つのフォトディテクタは（ＡとＤ）および（ＢとＣ）であり、円周方向に２分割された２つのフォトディテクタは（ＣとＤ）および（ＡとＢ）である。メインレーザ光３００の戻り光はこのメイン用４分割フォトディテクタに入射する。
【００２９】
一方、（ｂ）にはサブ用４分割フォトディテクタの構成が示されており、メイン用４分割フォトディテクタと同様に半径方向および円周方向にそれぞれ２分割されて構成される。それぞれのフォトディテクタをフォトディテクタＥ〜Ｈとする。半径方向に分割された２つのフォトディテクタは（ＥとＨ）および（ＦとＧ）であり、円周方向に分割された２つのフォトディテクタは（ＧとＨ）および（ＥとＦ）である。サブレーザ光４００の戻り光はこのサブ用４分割フォトディテクタに入射する。なお、サブ用４分割フォトディテクタにおいて、（ＧとＨ）が光ディスク１０の回転方向に対し上流側に位置するものとする。すなわち、プリピットはまず（ＧとＨ）で検出され、その後（ＥとＦ）で検出されるものとする。
【００３０】
図６には、図１におけるプリピット検出部２６の構成ブロック図が示されている。プリピット検出部２６は、加算器２６ａ、２６ｇ、２６ｉ、オートゲインコントロール（ＡＧＣ）２６ｂ、２６ｈ、加減算器２６ｃ、フィルタ２６ｄ、２６ｋ、スライサ２６ｅ、２６ｍ、サンプルホールド（Ｓ／Ｈ）回路２６ｊおよびゲート回路２６ｆを有する。
【００３１】
サブ用４分割フォトディテクタを構成するフォトディテクタＥ及びＦからの信号は加算器２６ａにて加算され、ＡＧＣ２６ｂに出力される。また、サブ用４分割フォトディテクタを構成するフォトディテクタＧ及びＨからの信号は加算器２６ｇにて加算され、ＡＧＣ２６ｈに供給される。ＡＧＣ２６ｂ及び２６ｈでは、２つの信号のゲインを調整してそのレベルを一致させ、加減算器２６ｃに出力する。なお、再生時には光ピックアップ１４から再生パワーのレーザ光が照射され、サブレーザ光４００も常に一定のパワーとなるため、フォトディテクタＥ〜Ｈからの信号レベルは略同一であり、ＡＧＣ２６ｂ、２６ｈで特にゲイン調整する必要はない。したがって、再生時にはＡＧＣ２６ｂ、２６ｈの動作をＯＦＦとすることもできる（後述するように、２つの信号の和を演算する場合には特に不要である）。具体的には、記録／再生の選択信号をコントローラ２０からＡＧＣ２６ｂ、２６ｈに供給し、この選択信号に基づいてＡＧＣ２６ｂ、２６ｈの動作をＯＮ、ＯＦＦすればよい。ＡＧＣ２６ｂ、２６ｈは、ゲイン調整した信号を加減算器２６ｃに出力する。
【００３２】
加減算器２６ｃは、ＡＧＣ２６ｂからの（Ｅ＋Ｆ）信号及びＡＧＣ２６ｈからの（Ｇ＋Ｈ）信号の和、あるいは差を演算してフィルタ２６ｄに出力する。再生時には和あるいは差のいずれでも良く、記録時には差を演算する。和あるいは差のいずれを演算するかは、上述した選択信号に基づいて切り換えることができる。本実施形態では、特に再生時においてプリピット情報を検出する場合について説明し、加減算器２６ｃは２つの信号の和を演算するものとする。
【００３３】
フィルタ２６ｄは、加減算器２６ｃからの和信号、すなわち（Ｅ＋Ｆ）＋（Ｇ＋Ｈ）を平滑化し、スライサ２６ｅに出力する。
【００３４】
スライサ２６ｅは、所定のしきいレベル、具体的にはベースレベルよりも所定量だけ大きなレベルで（Ｅ＋Ｆ）＋（Ｇ＋Ｈ）信号の上部レベルを取り出し、ゲート回路２６ｆに出力する。
【００３５】
一方、フォトディテクタＦ及びＧからの信号は加算器２６ｉにも供給される。加算器２６ｉは、２つの信号を加算して（Ｆ＋Ｇ）信号とし、サンプルホールド（Ｓ／Ｈ）回路２６ｊに供給する。サンプルホールド回路２６ｊは、レーザ光パワーが再生パワーであるタイミングで信号をサンプルホールドするものであり、再生時には常に再生パワーであるためその機能は特に必要ではない。サンプルホールド回路２６ｊのＯＮ、ＯＦＦは選択信号に基づき切り換えることができる。サンプルホールド回路２６ｊは、（Ｆ＋Ｇ）信号をフィルタ２６ｋに出力する。
【００３６】
フィルタ２６ｋは、（Ｆ＋Ｇ）信号を平滑化し、スライサ２６ｍに供給する。
【００３７】
スライサ２６ｍは、所定のしきいレベル、具体的にはゼロレベルで（Ｆ＋Ｇ）信号の上部レベルと下部レベルを取り出し、ゲート回路２６ｆに供給する。フォトディテクタＦ及びＧはグルーブ側に位置するフォトディテクタであり、グルーブのウォブル信号が含まれている。したがって、この（Ｆ＋Ｇ）信号の上部レベルと下部レベルをスライスすることで、ウォブル信号の頂点と谷を検出することができる。
【００３８】
ゲート回路２６ｆは、スライサ２６ｍからの信号に基づき処理ウィンドウを設定し、具体的にはウォブル信号の頂点でゲートをＯＮして信号を出力し、それ以外のタイミングでゲートをＯＦＦとして信号を遮断する。これにより、スライサ２６ｅからの信号のうち、ウォブル信号の頂点に位置する信号のみを抽出してプリピット信号（ＬＰＰ）としてコントローラ２０に出力する。
【００３９】
図７及び図８には、以上述べた処理のタイミングチャートが示されている。図７（ａ）は、加算器２６ｇからの出力、すなわち（Ｇ＋Ｈ）信号である。フォトディテクタＧ及びＨからの信号にはグルーブのウォブルに対応するウォブル信号が含まれ、このウォブル信号の頂点にＬＰＰが存在する。なお、実際にはＬＰＰが存在する部位ではレーザ光が回折されるため戻り光量は減少するが、図では説明の都合上、これを反転した信号として示してある。
【００４０】
図７（ｂ）は、加算器２６ａからの出力、すなわち（Ｅ＋Ｆ）信号である。この信号にもウォブル信号が含まれ、ウォブルの頂点にＬＰＰが存在する。円周方向に２分割された２つのフォトディテクタ（ＥとＦ）及び（Ｇ＋Ｈ）はプリピットに対して前後の位置関係にある。したがって、（ａ）、（ｂ）に示されるように、まず（Ｇ＋Ｈ）信号においてＬＰＰが出現し、所定時間だけ遅れて（Ｅ＋Ｆ）信号にＬＰＰが出現する。したがって、加減算器２６ｃでこれら２つの信号を加算すると、両信号に含まれるＬＰＰが加算され、（ｃ）に示されるような信号が得られる。なお、実際の信号には種々のノイズが含まれ、ＬＰＰのレベルは比較的小さいため、これらのノイズとレベル上区別することは容易ではない。
【００４１】
一方、図８（ａ）は、図７（ｃ）に示された（Ｅ＋Ｆ）＋（Ｇ＋Ｈ）信号であり、ＬＰＰの他にノイズが含まれていることを示す。
【００４２】
図８（ｂ）は、加算器２６ｉからの出力、すなわち（Ｆ＋Ｇ）である。ウォブル信号を示している。なお、この信号にもＬＰＰは含まれるが、後にスライサ２６ｍでスライス処理されるため、図においては省略している。
【００４３】
図８（ｃ）は、加算器２６ｉからの信号をフィルタ２６ｋにて平滑化し、さらにスライサ２６ｍにてスライス処理して得られる信号が２値信号として示されている。ウォブルの頂点においてＯＮとなり、谷においてＯＦＦとなる２値信号である。ゲート回路２６ｆでは、この２値信号に基づきスライサ２６ｅから供給された信号を処理する。すなわち、２値信号がＯＮである場合にゲートをＯＮし、２値信号がＯＦＦである場合にゲートをＯＦＦとする。これにより、ウォブル信号の頂点近傍においてのみ信号が出力されることとなり、図８（ｄ）に示されるようにウォブル信号の頂点に位置する信号のみが本来のＬＰＰとして抽出され、ウォブル信号の頂点に位置しない信号はノイズとして除去される。
【００４４】
このように、本実施形態では再生時においてサブレーザ光４００の戻り光に基づきプリピット情報を抽出できるが、プリピット情報はサブレーザ光４００の位置で検出されたものであり、従来のようにメインレーザ光３００の位置で検出されたものではない。したがって、コントローラ２０においてメインレーザ光３００で検出されたプリピット情報に基づき同期位置やアドレスを検出するアルゴリズムを用いている場合には、検出されたプリピット情報を所定時間だけ遅延させる必要がある。具体的には、メインレーザ光３００とサブレーザ光４００の円周方向（光ディスク１０の回転方向）における離間距離と線速度から遅延時間を算出し、コントローラ２０内でソフト的に遅延させる、あるいは遅延回路をプリピット検出部２６の後段に設けてハード的に遅延させる。これにより、あたかもメインレーザ光３００でプリピットを検出しているように処理することができる。
【００４５】
＜第２実施形態＞
上述した第１実施形態においては、再生時においてプリピット情報を検出する場合について説明した。本実施形態においては、記録モード時、すなわち光ピックアップ１４から記録パワーのレーザ光が照射されるときにプリピット情報を検出する場合について説明する。なお、光ディスク１０にデータを記録する際、マルチパルスで記録するものとする。すなわち、３Ｔの信号に対しては単一パルスでデータを記録し、４Ｔ以上のデータに対しては複数のパルスでデータを記録するものとする。
【００４６】
図９には、本実施形態におけるタイミングチャートが示されている。本実施形態における構成ブロック図は図１に示された構成ブロック図と同一であるが、コントローラ２０からの選択信号に基づき、ＡＧＣ２６ｂ、２６ｈ、及びサンプルホールド回路２６ｊは動作がＯＮし、加減算器２６ｃは２つの信号の差を演算する点に注意されたい。
【００４７】
図９（ａ）は記録パルスであり、マルチパルスが示されている。一群のマルチパルスで１つのデータが記録される。フロントパルスのパルス幅及び後続パルスのデューティなどは所定の規則に従って決定され、４Ｔ〜１４Ｔの信号が形成される。
【００４８】
図９（ｂ）は加算器２６ｇの出力、すなわち（Ｇ＋Ｈ）信号である。なお、説明の都合上、ウォブル成分については省略してある。実際の信号は、図９（ｂ）の信号に図８（ａ）あるいは（ｂ）に示されるウォブル信号が重畳したものである。メインレーザ光３００の戻り光の場合、記録パルスの初期においてピットが未だ形成されていないためその戻り光量は大きく、やがてピットが形成されるとその回折により戻り光量は減少するという複雑な信号変化となり、信号変化の一部にＬＰＰが含まれることになる。一方、サブレーザ光４００の戻り光では、図示のようにピットによる影響がなく、単に記録パルスによるレーザパワーの変調のみが現れ、この変調にＬＰＰが含まれることになる。
【００４９】
図９（ｃ）は加算機２６ａからの出力、すなわち（Ｅ＋Ｆ）信号であり、（Ｇ＋Ｈ）信号に対して所定時間Δｔだけ遅延してＬＰＰが出現する。（Ｅ＋Ｆ）信号及び（Ｇ＋Ｈ）信号はＡＧＣ２６ｂ、２６ｈでゲイン調整され、そのレベルが略同一とされた後、加減算器２６ｃで差演算され、（Ｇ＋Ｈ）−（Ｅ＋Ｆ）が出力される。差演算を行うことで、レーザパワーの変調成分及びウォブル成分が除去される。
【００５０】
図９（ｄ）は、加減算器２６ｃからの出力、すなわち（Ｇ＋Ｈ）−（Ｅ＋Ｆ）信号であり、ＬＰＰのみが抽出される。以後は第１実施形態と同様であり、ゲート回路２６ｆにてウォブル信号の頂点のタイミングでゲートをＯＮし、ノイズを除去して本来のＬＰＰのみを抽出してコントローラ２０に出力する。但し、サンプルホールド（Ｓ／Ｈ）回路２６ｊで再生パワーのとき（スペース区間）にサンプルしてレーザパワーの変調に影響されずにウォブル信号の頂点位置を検出する。また、スライサ２６ｅでは、上部あるいは下部のいずれを取り出してもよく、上部及び下部の両方をスライス処理してＬＰＰを検出し、両方ともＬＰＰが検出された場合は出力し、片方だけの場合はノイズであると判定して無視するようにしてもよい。プリピット検出部２６で検出されたプリピット情報を遅延させるための手段については、第１実施形態と同様である。
【００５１】
このように、本実施形態では記録時においてサブレーザ光４００の戻り光に基づきプリピット情報を抽出するので、メインレーザ光３００から抽出する場合に比べて簡易な構成で、かつ確実にプリピット情報を検出することができる。そして、第１実施形態と第２実施形態を併せることで、再生時及び記録時のいずれにおいても、プリピット情報を検出することができる。
【００５２】
以上、本発明の実施形態について説明したが、本発明はこれに限定されるものではなく種々の変更が可能である。
【００５３】
例えば、本実施形態では記録時にサンプルホールド回路で再生パワー時、すなわちスペース期間にサンプリングしているが、記録パワー時、すなわちマーク期間にサンプリングしてもよい。
【００５４】
また、本実施形態では、サブレーザ光４００の戻り光に基づいてプリピット情報を検出しているが、従来と同様にメインレーザ光３００の戻り光も用いてプリピット情報を検出し、エラーレートの小さい方を採用することもできる。
【００５５】
【発明の効果】
以上説明したように、本発明によれば簡易な構成で確実にプリピット情報を検出することができる。
【図面の簡単な説明】
【図１】  実施形態に係る光ディスク装置の構成ブロックである。
【図２】  光ディスクのグルーブとランドおよびプリピットの関係を示す説明図である。
【図３】  ウォブル信号とプリピットの関係を示す説明図である。
【図４】  本実施形態に係るレーザ光の照射説明図である。
【図５】  メイン用４分割フォトディテクタおよびサブ用４分割フォトディテクタの構成説明図である。
【図６】  図１におけるプリピット検出部の構成ブロック図である。
【図７】  第１実施形態のタイミングチャートである。
【図８】  第１実施形態の他のタイミングチャートである。
【図９】  第２実施形態のタイミングチャートである。
【符号の説明】
１０  光ディスク、１２  スピンドルモータ、１４  光ピックアップ、１６  ＬＤ駆動部、１８  エンコーダ、２０  コントローラ、２２  ＲＦ信号処理部、２４  デコーダ、２６  プリピット検出部。
【図１】
0003736404.tif 000002
【図２】
0003736404.tif 000003
【図３】
0003736404.tif 000004
【図４】
0003736404.tif 000005
【図５】
0003736404.tif 000006
【図６】
0003736404.tif 000007
【図７】
0003736404.tif 000008
【図８】
0003736404.tif 000009
【図９】
0003736404.tif 000010